(57)【要約】【課題】  本発明は、有線又は無線により情報交換ができる音声付き画像を表示できる積層型ディスプレイ装置を貼り付け搭載した装置を提供するものである。【発明の効果】この発明により、入場者の入場着席又は指定作業位置を指定し、その着席位置又は作業位置において、その者との間で必要となるさまざまな情報の双方向提供を音声及び画像表示の方法で行うことにより、それに要する施設管理者及びサービス提供者又は作業管理者の人件費を限りなく少なくすることができるようになる。また、その装置による静止画動画をニュース、緊急危険避難通報、宣伝広告及びメニュー情報の提供、代金表示などの目的に供することができるようになる。  また、表示場所をトレー内の表面部を回避した任意の位置に設定するとトレー使用中にその表面の全部を目視できないことによる支障を回避できるので、本発明により、そのトレー使用上の用途に支障を生じさせないようにすることができる。【選択図】図１
2015205141.tif 000002
【特許請求の範囲】
【請求項１】
入力又は送信電波を受信して得られる音声ないし画像データを保存するメモリ及びそれらのデータを指定された特定の使用目的に従って演算処理して出力する演算部及び出力部を搭載する回路基板、上記音声画像を主力表示する音声発生並びに画像ディスプレイのための表示装置、これらの回路基板と表示装置とに必要な電力を供給する充電可能電池から構成される板状積層構造体を表面に張り付けて搭載し、食卓用又は物品搭載移送用等の用途向けトレー、台座又はパレットの本体又はその外側に接着又は付属させた装置（以下本装置と称する）。
【請求項２】
入力又は送信電波を受信して得られる音声ないし画像データを保存するメモリ及びそれらのデータを演算処理して出力する演算部及び出力部を搭載する回路基板表面に張り付けて搭載した請求項１の本装置。
【請求項３】
ブルートゥース（Ｂｌｕｅｔｏｏｔｈ：登録商標）等の無線通信手段により請求項１の板状積層構造体に送信される画像データを受信しその表層部でディスプレイ画像を表示できる請求項１又は２の本装置。
【請求項４】
ブルートゥース（Ｂｌｕｅｔｏｏｔｈ：登録商標）等の無線通信手段により一方的又は双方向的に音声で無線通信できる回路基板を装着した請求項１、２又は３の本装置。
【請求項５】
タッチパネル、押釦、マイク、スピーカーの付加装着により一方的又は双方向的に音声通信をすることができる請求項１、２又は３の本装置
【請求項５】
請求項１、２又は３の本装置に接触型又は非接触方法で電力供給をするためのバッテリ−を電源とし、又は外部電源を取り入れることができるように配置した請求項１、２又は３の本装置。
【請求項６】
本装置の全部又は一部を卓上型として用い、余部を内蔵バッテリー充電用等のための電源供給口とともにトレー本体、固定机家具等又は他の電気式器具に接続して請求項１、２．３の機能を持たせる構造の本装置
【発明の詳細な説明】
【背景技術】
【０００１】  着席位置を指定する必要がある飲食レストランでは入場者のひとりひとりを着席位置まで付き添って案内し、氏名を名乗って予約をしていない限り、着席後に飲食物を選択発注し、飲食中の必要時に有線無線の方法で従業者を着席位置まで呼び出して必要事項を口頭で述べ、注文どおり飲食物が運ばれてくるのを待ち、さらに、支払代金額の表示を紙媒体で受けとり代金受領担当者の計算により示されることが多かった。
また、一般産業界においても、トレー等により多様な物品を選択移動する業務に従事する者がその業務に熟練するまでは、専任の熟練助言者を付き添わせる必要があった。そのため、これまでは、人件費を低減させるために紙媒体を用いることも多かったのであるが、伝達情報の内容及び伝達態様に限界があり、情報提供側の意図を伝えることが不十分になることが少なくなかった。
そこで、そのような完全性正確性及び即時性の不十分さを解消し、案内人や助言者による付き添い応対に要する人件費を限りなく不要にするための情報伝達及び情報入手の機能を有する装置に対する需要が生じている。
本発明は、トレー、パレットその他の移動型作業台（以下トレーと総称する。）、特に、音声画像データを再生表示する板状積層体のディスプレイ装置を搭載した装置を付属させたトレーに関する。
トレーは、食事のための配膳用及び食事中の食器置き用として、あるいは、一般事業及び工場における製造現場に選択された特定の物品を出し入れ移動搬送するためなどに用いられる。
従前のトレーでは、外部音声による話しかけによる方法を除いては、あらかじめ伝達すべき情報や指示書を記入した紙片等をトレー内に貼り付け又は添付する方法によってしか当該トレーの面前者のそれぞれにそれらの情報を伝達するほかなかった。
【発明の概要】
【発明が解決しようとする課題】
【０００２】  本発明は、例示的には、レストラン外食飲食店における着席飲食者、自動倉庫などでの手さばきによる容器詰め込みないし多数介護入居者を要する入居者に対する効率的配膳作業及び配薬の過誤防止及び効率化のため作業場などで所定の作業に従事する作業者等に対し無線有線により遠隔的に情報を送信した情報画像を受信して表示することにより着席位置を表示し、刻々に必要有益とする情報の提供を受け、必要により、一方的双方向的通信機能を付加することにより、即時に有益な情報を提供し受領するとともに，当該情報及び指示の誤伝達を防止するという課題を解決するものである。
【課題を解決する手段】
【０００３】  上記の課題を解決するために、本発明は、請求項１の回路基板及び装置の一部又は全部を板状積層構造体とし構成する装置をトレーに接触させ、もしくはトレー本体又はそのトレーが置かれた位置で専用されるインターフェースと接触的又は非接触的に連結して、上記の本発明の課題を解決するものである。
【発明の効果】
【０００４】  レストランの入場者に対し着席位置までの案内業務を案内人付き添いの方法で行う労務を解消し、厨房から客席の食事客に対し食事の提供時間の予告、メニュー及びそのレシピの紹介、価格表、店内案内図などのほか、料理提供開始の予定時刻、特売情報イベントのお知らせなどを食事客のそれぞれに個別情報として画像によるほか音声でも伝達表示し、また、業務上の必要により、トレーを自動的に移動して眼前にする者又はこれを持ち運ぶ者に対し、作業指示を音声的視覚的にかつ即時的に伝達し、双方向的連絡を取り合うことができる。
また、飲食店などの入店者があらかじめ空席位置がディスプレイ表示されたトレーに希望のメニューを別途設けられたパネルタッチの方法で入力して当該空席位置に着席するだけでその希望どおりの飲食物が何の会話をするまでもなく届くようにするこができる。
また、一般産業界では、トレーを用いてトレーへの物品積み込み移動作業に従事する従業者に対し作業内容を作業即応的にかつ即時的にやりとりし、音声画面表示の方法により作業指示をすることができる。
【図面の簡単な説明】
【図１】  図１は，請求項１の板状積層構造体の積層組み合わせ例である。ただし、防水層である透明防水シートとその反対面の絶縁断熱シートに挟まれた積層部分の積層順序及び積層物の種類は積層構造体を利用する情報の容量及び伝達方法の種類（画像表示のほかに音声通信機能を加えた場合など）により一様ではなく、図１よりも増減することがあり得る。ディスプレイ部分には静止文字画像及び動画が表示され、ブルートゥース（Ｂｌｕｅｔｏｏｔｈ：登録商標）のアンテナによりそれらの表示情報を無線で受発信する。集積回路の積層部分により、アンテナから受信した情報につきディスプレイ表示をし、その他請求項１，２．３の機能を果たすために必要となる演算処理を行い、その集積回路がプリント基板に固着される。バッテリー層の部分は、以上の受発信及びディスプレイ表示のために必要な充電式の電池である。
【図１】
2015205141.tif 000003
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
入力又は送信電波を受信して得られる音声ないし画像データを保存するメモリ及びそれらのデータを指定された特定の使用目的に従って演算処理して出力する演算部及び出力部を搭載する回路基板、上記音声画像を主力表示する音声発生並びに画像ディスプレイのための表示装置、これらの回路基板と表示装置とに必要な電力を供給する充電可能電池から構成される板状積層構造体を表面に張り付けて搭載し、食卓用又は物品搭載移送用等の用途向けトレー、台座又はパレットの本体又はその外側に接着又は付属させた装置（以下本装置と称する）。
【請求項２】
入力又は送信電波を受信して得られる音声ないし画像データを保存するメモリ及びそれらのデータを演算処理して出力する演算部及び出力部を搭載する回路基板表面に張り付けて搭載した請求項１の本装置。
【請求項３】
ブルートゥース（Ｂｌｕｅｔｏｏｔｈ：登録商標）等の無線通信手段により請求項１の板状積層構造体に送信される画像データを受信しその表層部でディスプレイ画像を表示できる請求項１又は２の本装置。
【請求項４】
ブルートゥース（Ｂｌｕｅｔｏｏｔｈ：登録商標）等の無線通信手段により一方的又は双方向的に音声で無線通信できる回路基板を装着した請求項１、２又は３の本装置。
【請求項５】
タッチパネル、押釦、マイク、スピーカーの付加装着により一方的又は双方向的に音声通信をすることができる請求項１、２又は３の本装置
【請求項６】
請求項１、２又は３の本装置に接触型又は非接触方法で電力供給をするためのバッテリ―を電源とし、又は外部電源を取り入れることができるように配置した請求項１、２又は３の本装置。
【請求項７】
本装置の全部又は一部を卓上型として用い、余部を内蔵バッテリー充電用等のための電源供給口とともにトレー本体、固定机家具等又は他の電気式器具に接続して請求項１、２．３の機能を持たせる構造の本装置